(57)【要約】【課題】循環ポンプ数の削減を図りつつも、入浴者の肩と腰に対して最適なマッサージ感を与えることのできる噴流を発生することのできる噴流風呂装置を提供する。【解決手段】浴槽３１内の湯を循環ポンプＰにより循環させる循環流路３２を設け、該循環流路３２を循環ポンプＰの下流側で分岐させ、各分岐路３２ａ，３２ｂの終端部に浴槽内へ湯を噴出する噴流ノズル装置１ａ，１ｂを設けるとともに、これら複数の噴流ノズル装置１ａ，１ｂを上下に配設し、上側の噴流ノズル装置１ａよりも下側の噴流ノズル装置１ｂからの噴出流量が大きくなるように各分岐路３２ａ，３２ｂ及び／又は各噴流ノズル装置１ａ，１ｂを構成する。【選択図】図１
2012170769.tif 000002
【特許請求の範囲】
【請求項１】
浴槽内の湯を循環ポンプにより循環させる循環流路を備え、該循環流路は前記循環ポンプの下流側で少なくとも２つの分岐路に分岐され、各分岐路の終端部に浴槽内へ湯を噴出する噴流ノズル装置が設けられるとともに、これら複数の噴流ノズル装置は上下に配設されており、上側の噴流ノズル装置よりも下側の噴流ノズル装置からの噴出流量が大きくなるように各分岐路及び／又は各噴流ノズル装置が構成されていることを特徴とする噴流風呂装置。
【請求項２】
請求項１に記載の噴流風呂装置において、循環ポンプから上側の噴流ノズル装置に至る流路抵抗が、循環ポンプから下側の噴流ノズル装置に至る流路抵抗よりも大きくなるように各分岐路を構成することにより、上側の噴流ノズル装置よりも下側の噴流ノズル装置からの噴出流量が大きくなるようにしたことを特徴とする噴流風呂装置。
【請求項３】
請求項１に記載の噴流風呂装置において、各噴流ノズル装置は噴流を発生させるオリフィスを備え、下側の噴流ノズル装置のオリフィスの孔径を上側の噴流ノズル装置のオリフィスの孔径よりも大きくすることにより、上側の噴流ノズル装置よりも下側の噴流ノズル装置からの噴出流量が大きくなるようにしたことを特徴とする噴流風呂装置。
【請求項４】
請求項１に記載の噴流風呂装置において、各噴流ノズル装置は、噴流を発生させるオリフィスと、該オリフィスからの噴流を浴槽内に噴出する噴流孔を有する回転ノズル本体とを備え、下側の噴流ノズル装置よりも上側の噴流ノズル装置から浴槽内に噴出される噴流が比較的広い範囲に分散されるように各回転ノズルの噴流孔が異なる構造となされていることを特徴とする噴流風呂装置。
【発明の詳細な説明】
【技術分野】
【０００１】
本発明は、浴槽内の湯を循環させつつ噴流ノズル装置から噴射させる噴流風呂装置に関する。
【背景技術】
【０００２】
この種従来の噴流風呂装置として、例えば、下記の特許文献１や特許文献２に記載のものが知られている。
【先行技術文献】
【特許文献】
【０００３】
【特許文献１】特許第２７６１０３６号公報
【特許文献２】実公平７−１３７１１号公報
【０００４】
上記特許文献１に記載の噴流風呂装置は、浴槽本体に、循環ポンプを介設した浴湯循環流路を複数個連通連結し、各浴湯循環流路に空気取入部を連通連結して、複数箇所より浴槽本体内へ気泡混じりの浴湯を噴出可能とすると共に、各循環ポンプの回転数を制御部を介して制御可能に構成している。これにより、噴流の当たる体の箇所によって、噴流形態と噴流強さを変えることができ、例えば足側には噴出ノズルからの浴湯の噴出量が少なくかつ噴出圧が高い指圧ブローを当てることによって指圧効果を与えることができるとともに、背側には噴出ノズルからの浴湯の噴出量が多くかつ噴出圧が低いマイルドブローを当てることによって、刺激マッサージ効果を与えることができるようになっている。
【０００５】
また、上記特許文献２に記載の噴流風呂装置は、浴湯循環パイプと循環ポンプとを浴槽の外に配設し、浴湯循環パイプは、浴槽の前後側壁の下部に開口した足側噴出ノズルと背側噴出ノズルとに連通されており、各ノズルの噴出角度を、角度調整用筒体とステムとを相対的に移動可能にすることによって調整自在としている。
【発明の概要】
【発明が解決しようとする課題】
【０００６】
ところで、利用者の中には、背中へのより高いマッサージ効果への要望も少なくなく、特に、腰と肩周辺への最適なマッサージ効果の要望が強い。そのような多くの利用者は、肩周辺には比較的やわらかい刺激を求める一方、腰周辺には集中的な強い刺激を求めることが多い。
【０００７】
上記特許文献１には、背側と足側にそれぞれ２つの噴出ノズルを左右に配設した実施例が開示されているが、これら２つの噴出ノズルからの噴流形態に差異はなく、かつ、２つの噴出ノズルの上下方向高さは同じとされているため、入浴者の腰周辺への噴流と肩周辺への噴流とを最適に制御することができない。さらに、循環流路と循環ポンプとを複数セット設けることにより複数箇所への噴流形態と噴流強さを変えることができるようにしているが、循環流路の配管コストや循環ポンプの設置コストが嵩むという問題がある。
【０００８】
また、上記特許文献２においても、背側と足側にそれぞれ２つの噴出ノズルを左右に配設した実施例が開示されているが、２つの噴出ノズルの上下方向高さは同じとされているため、入浴者の腰周辺への噴流と肩周辺への噴流とを最適に制御することができないものであった。
【０００９】
そこで、本発明は、入浴者の腰周辺への噴流と肩周辺への噴流とをそれぞれ発生させることを可能にするものでありながら、循環ポンプの共通化を図ることにより構造の簡素化やコスト低減を図ることができ、かつ、共通の循環ポンプにより発生される噴流でありながらも肩周辺への噴流と腰周辺への噴流の強さを変えることができる噴流風呂装置を提供することを目的とする。
【課題を解決するための手段】
【００１０】
上記目的を達成するために、本発明は、次の技術的手段を講じた。
【００１１】
すなわち、本発明の噴流風呂装置は、浴槽内の湯を循環ポンプにより循環させる循環流路を備え、該循環流路は前記循環ポンプの下流側で少なくとも２つの分岐路に分岐され、各分岐路の終端部に浴槽内へ湯を噴出する噴流ノズル装置が設けられるとともに、これら複数の噴流ノズル装置は上下に配設されており、上側の噴流ノズル装置よりも下側の噴流ノズル装置からの噴出流量が大きくなるように各分岐路及び／又は各噴流ノズル装置が構成されていることを特徴とするものである（請求項１）。
【００１２】
かかる本発明の噴流風呂装置によれば、上側の噴流ノズル装置を、入浴者の肩周辺に噴流を噴射するように浴槽側壁に配設するとともに、下側の噴流ノズル装置を、入浴者の腰周辺に噴流を噴射するように浴槽側壁に配設することにより、腰周辺には噴出流量の大きい強い噴流を発生させて比較的刺激が強いマッサージ感が得られるとともに、肩周辺には噴出流量の小さい弱い噴流を発生させて比較的刺激が弱いマッサージ感が得られるようになって、入浴者がより快適に入浴することが可能になる。さらに、上下の噴流ノズル装置からの噴流を発生させるための循環ポンプを共通化して、循環流路を循環ポンプの下流側で分岐させたので、配管構成の簡素化や循環ポンプ数の削減によるコスト低減が図られる。
【００１３】
上記本発明の噴流風呂装置において、循環ポンプから上側の噴流ノズル装置に至る流路抵抗が、循環ポンプから下側の噴流ノズル装置に至る流路抵抗よりも大きくなるように各分岐路を構成することにより、上側の噴流ノズル装置よりも下側の噴流ノズル装置からの噴出流量が大きくなるようにすることができる（請求項２）。例えば、下側の噴流ノズル装置への分岐路を直線的に構成する一方、上側の噴流ノズル装置への分岐路をＴ字分岐管を介して垂直上方に向けて配設したり、若しくは、下側の噴流ノズル装置への分岐路の流路径を上側の噴流ノズル装置への流路径よりも大きくするなどにより、上記のような流路抵抗差を設けることができる。
【００１４】
これによれば、分岐路の構成によって上下の噴流ノズル装置からの噴流の強さを異ならせることができ、予め各分岐路の構造を設計しておくことで、施工現場での調整作業を簡略化でき、量産性の向上と性能の安定化が図られる。
【００１５】
また、上記本発明の噴流風呂装置において、各噴流ノズル装置はオリフィスを備え、下側の噴流ノズル装置のオリフィスの孔径を上側の噴流ノズル装置のオリフィスの孔径よりも大きくすることにより、上側の噴流ノズル装置よりも下側の噴流ノズル装置からの噴出流量が大きくなるようにすることができる（請求項３）。
【００１６】
これによれば、構造の簡素化を図りつつも、上下の噴流ノズル装置からの噴流の強さを最適に設定することが可能になる。さらに、オリフィスを着脱交換可能に構成すれば、施工時に最適な噴流の強さとなるようにオリフィスを交換することで容易に調整可能になるとともに、入浴者が自分の好みに応じてオリフィスを交換できるようにすることも可能となる。
【００１７】
また、上記本発明の噴流風呂装置において、各噴流ノズル装置は、噴流を発生させるオリフィスと、該オリフィスからの噴流を浴槽内に噴出する噴流孔を有する回転ノズル本体とを備え、下側の噴流ノズル装置よりも上側の噴流ノズル装置から浴槽内に噴出される噴流が比較的広い範囲に分散されるように各回転ノズルの噴流孔が異なる構造となされているものとすることができる（請求項４）。このような噴流孔の構造としては、例えば、上側の噴流ノズル装置における噴流孔の孔径を下側の噴流ノズル装置におけるものよりも大きくしたり、上側の噴流ノズル装置における噴流孔の孔数を下側の噴流ノズル装置におけるものよりも多くしたり、上側の噴流ノズル装置における回転ノズルの軸心に対する噴流孔の噴流噴射角度を下側の噴流ノズル装置におけるものよりも大きくすることなどを挙げることができる。
【００１８】
これによれば、比較的流量の多い下側の噴流ノズル装置からの噴流をさらに上側と比較して集中的に噴射することにより、入浴者の腰部により強いマッサージ感を与えることができる。一方、比較的流量の少ない上側の噴流ノズル装置からの噴流については下側と比較して広い範囲に分散させることにより、肩全体を包み込むようなマッサージ感を入浴者に与えることができ、入浴時の快適性がより向上する。
【発明の効果】
【００１９】
以上説明したように、本発明の請求項１に係る噴流風呂装置によれば、上側の噴流ノズル装置を、入浴者の肩周辺に噴流を噴射するように浴槽側壁に配設するとともに、下側の噴流ノズル装置を、入浴者の腰周辺に噴流を噴射するように浴槽側壁に配設することにより、腰周辺には噴出流量の大きい強い噴流を発生させて比較的刺激が強いマッサージ感が得られるとともに、肩周辺には噴出流量の小さい弱い噴流を発生させて比較的刺激が弱いマッサージ感が得られるようになって、入浴者がより快適に入浴することが可能になる。さらに、上下の噴流ノズル装置からの噴流を発生させるための循環ポンプを共通化して、循環流路を循環ポンプの下流側で分岐させたので、配管構成の簡素化や循環ポンプ数の削減によるコスト低減が図られる。
【００２０】
また、本発明の請求項２に係る噴流風呂装置によれば、分岐路の構成によって上下の噴流ノズル装置からの噴流の強さを異ならせることができ、予め各分岐路の構造を設計しておくことで、施工現場での調整作業を簡略化でき、量産性の向上と性能の安定化が図られる。
【００２１】
また、本発明の請求項３に係る噴流風呂装置によれば、構造の簡素化を図りつつも、上下の噴流ノズル装置からの噴流の強さを最適に設定することが可能になる。さらに、オリフィスを着脱交換可能に構成すれば、施工時に最適な噴流の強さとなるようにオリフィスを交換することで容易に調整可能になるとともに、入浴者が自分の好みに応じてオリフィスを交換できるようにすることも可能となる。
【００２２】
また、本発明の請求項４に係る噴流風呂装置によれば、比較的流量の多い下側の噴流ノズル装置からの噴流をさらに上側と比較して集中的に噴射することにより、入浴者の腰部により強いマッサージ感を与えることができる。一方、比較的流量の少ない上側の噴流ノズル装置からの噴流については下側と比較して広い範囲に分散させることにより、肩全体を包み込むようなマッサージ感を入浴者に与えることができ、入浴時の快適性がより向上する。
【図面の簡単な説明】
【００２３】
【図１】本発明の一実施形態に係る噴流風呂装置の背面図である。
【図２】同噴流風呂装置の平面図である。
【図３】同噴流風呂装置の側面図である。
【図４】図２のＡ−Ａ線断面図である。
【図５】噴流ノズル装置の全体斜視図である。
【図６】同噴流ノズル装置の縦断面図である。
【図７】同噴流ノズル装置の回転ノズル本体の交換作業工程を示す縦断面図である。
【図８】同噴流ノズル装置の回転ノズル本体の拡大正面図であって、（ａ）は上側噴流ノズル装置の回転ノズル本体、（ｂ）は下側噴流ノズル装置の回転ノズル本体を示す。
【発明を実施するための形態】
【００２４】
以下、本発明の実施形態を図面に基づいて説明する。
【００２５】
図１〜図４は、本発明の一実施形態に係る噴流風呂装置３０を示しており、大人が座位で肩まで入浴可能な前後に長い平面視長方形状の浴槽３１と、浴槽３１内の湯を循環ポンプＰにより循環させる循環流路３２とを備えている。循環流路３２の上流端には、浴槽３１の左右いずれかの側壁に取付けられた取水口アダプタ３３が設けられており、該取水口アダプタ３３から循環ポンプＰにより浴槽３１内の湯を吸水するようになっている。なお、循環ポンプＰは電源装置３５からの電源供給により駆動され、浴槽３１の上部に設けたスイッチ３６によって電源のオンオフ操作ができるようになっている。電源装置３５は天井裏に配設することが好ましい。
【００２６】
さらに循環流路３２は、循環ポンプＰの下流側で分岐管３４により上下２つの分岐路３２ａ，３２ｂに分岐されており、各分岐路３２ａ，３２ｂの終端部に浴槽３１内へ湯を噴出する噴流ノズル装置１ａ，１ｂが設けられている。この２つの噴流ノズル装置１ａ，１ｂは上下に配設され、上側の噴流ノズル装置１ａは浴槽３１に入浴する入浴者の肩全体を包み込むような噴流を発生させる一方、下側の噴流ノズル装置１ｂは入浴者の腰の中央付近に比較的強い噴流を発生させるように構成されている。
【００２７】
まず、各噴流ノズル装置１ａ，１ｂについて説明すると、各噴流ノズル装置１ａ，１ｂは浴槽３１の後側側壁２に取り付けられ、循環ポンプＰにより循環される循環流から浴槽３１内に噴流を発生させるものである。なお、本実施例において、側壁２の内方を「正面側」といい、側壁２の後方を「背面側」という。
【００２８】
各噴流ノズル装置１ａ，１ｂは、図５〜図８に示すように、側壁２の背面側に配置されるオリフィス３を内部に設けた吐出配管４と、該吐出配管４の正面側に取り付け固定されるノズルカバー５と、該ノズルカバー５内に収容される回転ノズル本体６と、回転ノズル本体６をノズルカバー５内に保持しておくノズル保持部材７とを備えている。
【００２９】
吐出配管４は、正面側が開口しかつ背面側が閉鎖された円筒状の外筒部８と、該外筒部８に同心状に配置されかつ外筒部８よりも小径の内筒部９と、内筒部９に連通する湯水供給口部１０と、外筒部８と内筒部９との間の空間に連通するように外筒部８に設けられた空気供給口部１１とを備えて樹脂材料により一体成形されている。湯水供給口部１０と内筒部９とはほぼ直角に接続されたエルボ管を呈している。上記オリフィス３は内筒部９に着脱可能に内嵌されており、該オリフィス３の正面側端部よりも外筒部８の正面側端部は正面側に延設されている。
【００３０】
ノズルカバー５は、回転ノズル本体６の外周側を覆う円筒状の収容筒部１２を備えており、該収容筒部１２は浴槽側壁２に設けられた取付孔１３に側壁２正面側から挿入され吐出配管４の外筒部８に螺着されている。また、ノズルカバー５は、収容筒部１２の正面側端部に設けられたフランジ部１２ａを備えており、一方、外筒部８の正面側端部にも同様にフランジ部８ａが設けられ、これらフランジ部８ａ，１２ａによって側壁２をパッキン１４を介して挟持することによって、噴流ノズル装置１が側壁２に取付固定されている。収容筒部１２の背面側端部には、中央部にオリフィス３よりも大径でかつオリフィス３に対して同心状の流通孔を有する受け部１５が設けられている。該受け部１５と前記オリフィス３との間には空気導入用の隙間が形成されており、オリフィス３からノズルカバー５内に噴射される湯水噴流の負圧によって、空気供給口部１１から供給される空気を外筒部８と内筒部９との間の空間を介して引き込み、空気が混合された混合噴流として噴射し得るように構成されている。
【００３１】
回転ノズル本体６は、全体として円錐台形状を呈し、ノズルカバー５の収容筒部１２内に回転自在に収容されているとともに、オリフィス３に対して同心状に設けられている。回転ノズル本体６の背面には、オリフィス３から噴射される噴流が導入される円錐状の凹部６ａが形成されている。また、回転ノズル本体６には、図８にも示すように背面側から正面側に連通する噴流孔１６が設けられている。該噴流孔１６は複数設けられており、特に本実施例では上側の噴流ノズル装置１ａにおいては３つ、下側の噴流ノズル装置１ｂにおいては２つ設けられており、各噴流孔１６は背面側では前記凹部６ａに開口形成されている。この複数の噴流孔１６は、回転ノズル本体６の軸中央に対して周方向等間隔で設けられるとともに、各噴流孔１６は、背面側から正面側に至るにしたがって軸方向外方に向きかつ回転ノズル本体の回転方向とは逆方向に向くように形成されている。回転ノズル本体６の背面はノズルカバー５の受け部１５によって背面側から当接支持されているとともに、受け部１５の内周縁は正面側に突設されていて該突設部１５ａが前記凹部６ａに内嵌されている。また、回転ノズル本体６の正面の軸心部には凹部６ｂが形成されている。
【００３２】
ノズル保持部材７は、ノズルカバー５の収容筒部１２の正面側端部に螺着される円環状の取付リング部１８と、該リング部１８に直径方向に架設された棒状の支持部１９とを備えて樹脂材料により一体成形されており、リング部１８と支持部１９との間の開口部が、噴流の噴出口となる。支持部１９の中央部の背面側には、前記凹部６ｂ内に当接する支点部２０が設けられている。該支点部２０は、支持部１９の背面側から突出させた凸部によって構成している。これら支点部２０と凹部６ｂとは、軸中心が僅かに湾曲して突出乃至窪むように成形されている。なお、ノズル保持部材７を螺着する際の締付け回転方向と、装置作動時の回転ノズル本体６の回転方向とは一致させており、これにより作動中にノズル保持部材７が緩んで脱落することを防止している。
【００３３】
上記噴流ノズル装置１ａ，１ｂの動作について説明すると、循環ポンプＰを作動させることで吐出配管４の湯水供給口部１０に供給された所定流量の湯水は、オリフィス３で所定圧力となって回転ノズル本体６の背面側凹部６ａ内に吐出される。このとき、空気供給口部１１から外筒部８と内筒部９との間の空間に供給される空気と混合されて混合噴流となり、この混合噴流がさらに回転ノズル本体６の噴流孔１６を通って浴槽内に噴射される。
【００３４】
この時、噴流孔１６は、背面側の開口と正面側の開口の開口位置を周方向にずらし、回転ノズル本体６表面に対してひねりを設けているので、噴流孔１６を湯水が通過して浴槽内に噴射されると、その噴射の反力によって回転ノズル本体を回転させるモーメントが作用する。さらに、回転ノズル本体６の背面側に作用するオリフィス３からの噴流の圧力によって、支点部２０に回転ノズル本体６の正面の中心部を押し付け、このように回転ノズル本体６を正面から点支持させた状態で背面に噴流の圧力を作用させ、上記したモーメントにより回転ノズル本体６を回転させることで回転ノズル本体６が調心されるようになるため、回転ノズル本体６を固定された軸心位置で保持するシャフトを設けずとも、噴流の圧力バランス等によって回転ノズル本体６を一定軸心で円滑に回転させることができ、むしろ回転時の接触部位が少なくなるためより円滑に回転ノズル本体６を回転させることが可能になる。また、オリフィス３側にシャフトの支持構造が不要となるため、オリフィス３の構造を簡素化できるとともにオリフィス３を容易に着脱交換できるようになる。また、利用者の好みに応じて異なるマッサージ性の噴流に変更したい場合には、図７に示すようにノズル保持部材７を取り外すことによって異なる構造の回転ノズル本体６に容易かつ迅速に変更することができ、利用者にとって最適なマッサージ感が得られるようにするためのメンテナンス性が非常に良好である。
【００３５】
本実施形態の噴流風呂装置３０においては、循環ポンプＰから上側の噴流ノズル装置１ａのオリフィス３に至るまでの流路の流路抵抗が、循環ポンプＰから下側の噴流ノズル装置１ｂのオリフィス３に至るまでの流路の流路抵抗よりも大きくなるように上記各分岐路３２ａ，３２ｂ及び上下の噴流ノズル装置１ａ，１ｂが構成されており、これにより、下側の噴流ノズル装置１ｂからの噴流の流量が、上側の噴流ノズル装置１ａからの噴流の流量よりも大きくなるように構成している。
【００３６】
具体的には、下側の分岐路３２ｂは、分岐管３４の上流側の管路３２ｃに対して直線状に配管されている一方、上側の分岐路３２ａは、前記管路３２ｃに対して垂直上方に立ち上がるように配管されており、かかる管路構成の違いによって、下側の分岐路３２ｂの流量を上側の分岐路３２ａの流量よりも大きくなるように設定している。さらに加えて、本実施形態では、下側の噴流ノズル装置１内のオリフィス３の孔径を、上側の噴流ノズル装置１内のオリフィス３の孔径よりも大きなものとすることによって、より大きな流量差が生じるようにしている。
【００３７】
このように、循環ポンプＰが一つであっても、入浴者の腰周辺への噴流の流量を肩周辺への噴流の流量よりも大きくして、腰に強いマッサージ感を与えることができる。
【００３８】
さらに本実施形態では、下側の噴流ノズル装置１ｂよりも上側の噴流ノズル装置１ａから浴槽内に噴出される噴流が比較的広い範囲に分散されるように各回転ノズル本体６の噴流孔１６の構造を異なるものとしている。具体的には、上側の噴流ノズル装置１ａの回転ノズル本体６の噴流孔１６の数が、下側の噴流ノズル装置１ｂの回転ノズル本体６の噴流孔１６の数よりも多いとともに、上側の噴流ノズル装置１ａの噴流孔１６の孔径が下側の噴流ノズル装置１ａの噴流孔１６の孔径よりも大きくなされ、これらによりオリフィス３の下流側の噴流の流路の開口面積を下側よりも上側の噴流ノズル装置１ａの方を大きくしている。さらに、上側の噴流ノズル装置１ａの噴流孔１６は、下側の噴流ノズル装置１ｂの噴流孔１６よりも噴流噴射方向がより径方向外方に向くように軸心に対して大きく傾斜して形成されており、これにより、上側の噴流ノズル装置１ａから噴射される噴流は径方向外方に広がりつつ分散するようになり、その一方、下側の噴流ノズル装置１ｂから噴射される噴流は局部的なジェット噴流を生じさせるように構成されている。
【００３９】
本発明は上記実施形態に限定されるものではなく、適宜設計変更可能である。例えば、上下の分岐路の配管構成の違いで十分な流量差が得られるならば上下のオリフィスの孔径を同一にしてもよく、また、上下のオリフィスの孔径差で十分な流量差が得られるならば上下の分岐路の配管構成をほぼ同一のものとすることもできる。また、上記実施形態では空気との混合噴流を噴射する噴流ノズル装置を例示したが、空気を混合しない湯水のみの噴流を噴射する噴流ノズル装置であってもよい。
【符号の説明】
【００４０】
１ａ  上側の噴流ノズル装置
１ｂ  下側の噴流ノズル装置
２    浴槽側壁
３    オリフィス
６    回転ノズル本体
１６    噴流孔
３０    噴流風呂装置
３１    浴槽
３２    循環流路
３２ａ  上側の分岐路
３２ｂ  下側の分岐路
Ｐ    循環ポンプ
【図１】
2012170769.tif 000003
【図２】
2012170769.tif 000004
【図３】
2012170769.tif 000005
【図４】
2012170769.tif 000006
【図５】
2012170769.tif 000007
【図６】
2012170769.tif 000008
【図７】
2012170769.tif 000009
【図８】
2012170769.tif 000010